(57)【要約】【課題】出入り口付近に接近するだけで、手元で容易に屋内情報と防犯情報を知ることができる、手続きが簡単で、構成も簡単な、エントランス・チェッカーを提供することにある。【解決手段】腕時計キー６は、表示部１８と、記憶部１２と、無線通信部１６とを有し、エントランス装置２５はドア付近に設置され、記憶部２８と、無線通信部３６と、、インターフェイス部３８とからなり、腕時計キー６が送信したＩＤが認証されると電気錠３４を開錠するとともに、屋内情報と不正認証情報を腕時計キー６へ送信し、腕時計キー６が屋内情報と不正認証情報を表示部１８に表示し、所定の時間内にＩＤの認証がなされない場合には、電気錠３４を閉錠するとともに、屋内情報を腕時計キ６ーへ送信し、腕時計キー６が屋内情報を表示部１８に表示し、施錠中は不正認証情報を記憶部２８に記憶する。【選択図】      図１
2004197437.tif 000002
【特許請求の範囲】
【請求項１】
表示部、記憶部、無線通信部を有する腕時計キーと、記憶部、無線通信部、電気錠制御部、屋内の状況を示す屋内情報を入力とするインターフェイス部を有し、ドア付近に設置されているエントランス装置と、より成るエントランス・チェッカーであって、前記腕時計キーは前記記憶部にあらかじめ記憶しているＩＤと、前記エントランス装置の記憶部にあらかじめ記憶されているＩＤとを照合し、一致したときは電気錠を開錠するように前記電気錠制御部を制御するとともに、前記エントランス装置のインターフェイス部へ入力された前記屋内情報を前記エントランス装置の無線通信部から送信し、前記腕時計キーは前記無線通信部にて受信した屋内情報を前記表示部に表示することを特徴とするエントランス・チェッカー。
【請求項２】
請求項１に記載のエントランス・チェッカーにおいて、前記エントランス装置は、所定の時間内にＩＤの認証がなされない場合は、電気錠を閉錠するように電気錠制御部を制御するとともに、前記インターフェイス部へ入力された屋内情報を前記無線通信部から送信し、前記腕時計キーは前記無線通信部に受信した屋内情報を前記表示部に表示することを特徴とするエントランス・チェッカー。
【請求項３】
請求項１に記載のエントランス・チェッカーにおいて、前記エントランス装置は、所定の時間内にＩＤの認証がなされない場合は、電気錠を閉錠するように電気錠制御部を制御した後、次にＩＤの認証がなされるまでの間に、不正なＩＤの受信のあった時刻を不正認証情報として全て記憶し、前記腕時計キーから受信するＩＤの認証が再開したときに、不正認証情報を前記無線通信部から送信し、前記腕時計キーは前記無線通信部に受信した不正認証情報を前記表示部に表示することを特徴とするエントランス・チェッカー。
【発明の詳細な説明】
【０００１】
【発明の属する技術分野】
本発明は、電気錠を備えた出入り口における施開錠制御装置、即ちエントランスチェッカーに関する。
【０００２】
【従来の技術】
従来、カードの暗証番号等のID情報を読み取り、ドアの施開錠を行う装置に屋内情報を表示することが行われている（例えば特許文献１参照）。
【０００３】
図６に従来技術によるエントタンス・チェッカーの一例の外観図を示す。エントランス・チェッカーは、住宅の出入り口に近い外壁に貫通孔をあけ、住宅の外側と内側の両方から操作できるように設置する。図６はエントランス・チェッカーの設置図である。５０はカードを挿入するカード設置部で、家の外壁等に貫通して設けられており、安全確認表示部の表示ランプ５４、５６によって、戸締り状態やガス元栓開閉状態が外出時に表示される。これらの状態情報はセンサによって検知され、家庭内情報線とインタイフェイス部を介してマイクロコンピュータに取り込む様になっている。
【０００４】
【特許文献１】
特開昭６３−１５６１７９号公報（第３−５頁、第１図）
【０００５】
【発明が解決しようとする課題】
しかしながら、上記のような構成では、退室時において、屋内の安全情報を確認するためには、カード設置部の場所まで近づいた上、カードを抜き取る作業が必要になる。また、入室時において、音声やランプなどの報知では近傍に第３者が存在する場合、屋内の情報を知られてしまう。カード設置部が屋外側にも設けられているので、破壊や不正に入室を試みるといった行為を受ける可能性があり、防犯上問題点があり、安全性に欠けるシステムであった。
【０００６】
本発明の目的は、上述の欠点を解消するもので、玄関等の出入口空間における屋内安全情報の提供と電子錠のコントロールが、ウォッチ・キーで作動する、より便利で安全性の高いエントランス・チェッカーを提供することである。
【０００７】
【課題を解決するための手段】
上記目的を達成するため、本発明に係るエントランス・チェッカーは、表示部、記憶部、無線通信部を有する腕時計キーと、記憶部、無線通信部、電気錠制御部、屋内の状況を示す屋内情報を入力とするインターフェイス部を有し、ドア付近に設置されているエントランス装置と、より成るエントランス・チェッカーであって、前記腕時計キーは前記記憶部にあらかじめ記憶しているＩＤと、前記エントランス装置の記憶部にあらかじめ記憶されているＩＤとを照合し、一致したときは電気錠を開錠するように前記電気錠制御部を制御するとともに、前記エントランス装置のインターフェイス部へ入力された前記屋内情報を前記エントランス装置の無線通信部から送信し、前記腕時計キーは前記無線通信部にて受信した屋内情報を前記表示部に表示すること、を特徴とする。
【０００８】
また、本発明に係るエントランス・チェッカーにおいては、エントランス装置は、所定の時間内にＩＤの認証がなされない場合には、電気錠を閉錠するとともに、屋内情報を腕時計キーへ送信し、腕時計キーが屋内情報を表示すること、を特徴とする。
【０００９】
また、本発明に係るエントランス・チェッカーにおいては、エントランス装置は、所定の時間内にＩＤの認証がなされない場合には、電気錠を閉錠するとともに、施錠状態で不正なＩＤの認証があった時刻を不正認証情報として全て記憶し、次に認証が成功したときに腕時計キーへ送信し、腕時計キーに不正認証情報を表示すること、を特徴とする。
【００１０】
【発明の実施の形態】
以下、本発明の実施の形態を図面に基づいて詳述する。図１は、本発明に係るエントランス・チェッカーの腕時計キーの構成を表すブロック図である。腕時計キー６は、制御部8と、無線通信部１６、ディスプレイ等の表示部１８、ボタンなどの入力部２２が内部バスで結ばれ、腕時計キー６は、電源として電池２４を内蔵している。
【００１１】
制御部８は、腕時計キー６の演算、記憶、通信、表示、入出力を制御するためのマイクロコンピュータ１０と、ＩＤ、受信した屋内情報、受信した不正認証情報のほか、時計機能に必要な要素を記憶するための記憶部１２と、時刻を進める時計機能として働くための計時部１４を備える。
【００１２】
表示部１８は、屋内情報や不正認証情報のほか、時刻や日付、タイマーやストップウォッチなどの時計の各機能を表示する。
【００１３】
無線通信部１６は、チップ型のものを用いることができ、アンテナを内蔵するタイプのものであってもよい。
【００１４】
電池２４は、ボタン電池等の単独電池のほか、太陽電池、熱発電装置、機械式発電装置等の発電装置と二次電池などの蓄電装置と組み合わせて用いることができる。
【００１５】
図２は、本発明に係るエントランス・チェッカーのエントランス装置の構成を表すブロック図である。エントランス装置２５は、制御部２６と、電気錠制御部３２と、無線通信部３６と、インターフェイス部３８が内部バスで結ばれ、エントランス装置２５は、電源として電源３０を備えている。
【００１６】
制御部２６は、エントランス装置２５腕時計キー６の演算、記憶、通信、表示、入出力を制御するためのマイクロコンピュータ２７と、屋内情報と不正認証情報を記憶するための記憶部２８とを備える。
【００１７】
電気錠制御部３２は、電気錠３４と制御線で接続し、電気錠３４を制御してドアの施錠と開錠を行う。
【００１８】
無線通信部３６は、チップ型のものを用いることができ、アンテナを内蔵するタイプのものであってもよい。
【００１９】
インターフェイス部３８は、家庭内の各種センサ４０と屋内情報線で接続し、センサからの入力をマイクロコンピュータ２７が読み込める情報に変換する。
【００２０】
電源３０は、家庭内電力線など、外部から供給するほか、乾電池等の単独電池のほか、太陽電池、熱発電装置、機械式発電装置等の発電装置と二次電池などの蓄電装置と組み合わせて用いることができる。
【００２１】
図３は、本発明に係るエントランス・チェッカーの外観図である。腕時計キー６は、表示部１８を備え、屋内情報および不正ドアロック情報の表示のほか、図示はしないが当然現在時刻も表示する。エントランス装置２５は、インターフェイス部３８で屋内情報線と接続しており、住宅の出入り口に近い壁に埋め込まれるように設置し、外壁側には表出しない。室内側は保守・点検などのために表出している。エントランス装置２５は、ドア４の施開錠制御する。
【００２２】
図４と図５は、本発明に係るエントランス・チェッカーのフローチャートである。各図のフローチャートの分岐において、「Ｙ」はＹＥＳを、「Ｎ」はＮＯの判断結果を意味する。
【００２３】
図４のフローチャートを用いて、腕時計キー６の作用について説明する。Ｓ２４は、現在がＩＤの送信タイミングであるかを判断する工程である。送信タイミングは所定の時間間隔で発生し、その間隔は１秒毎、２秒毎等、短いことが望ましい。現在が送信タイミングではないと判断したときは、再びＳ２４へ戻り、再判断を行う。現在が送信タイミングであると判断したときは、Ｓ２６の工程へ移行する。
【００２４】
Ｓ２６は、記憶部１２に記憶された認証のためのＩＤを読み出し、無線通信部１６から送信する工程である。Ｓ２６の工程の後はＳ２８へ移行する。
【００２５】
Ｓ２８は、エントランス装置２５からの屋内情報を無線通信部１６で受信があったか否かを判断する工程である。エントランス装置２５がＩＤを受信し認証し、屋内情報を送り出すまでの所定時間は、無線通信部１６は受信待ちの状態を継続する。前記の所定時間が経過しても屋内情報の受信がなければＳ３０へ移行し、前記の所定時間内に屋内情報の受信があれば、Ｓ２９へ移行する。
【００２６】
Ｓ２９は、受信した屋内情報を、表示部１８に表示する工程である。屋内情報は、表示後、記憶部１２に記憶しておく。屋内情報には、屋内の各種センサに対応する各設備の番号とセンサがＯＮかＯＦＦかの情報が含まれる。ＯＮの場合は対応する設備は使用中であり、ＯＦＦの場合は未使用中であることを表す。Ｓ２９の工程の後はＳ３０へ移行する。
【００２７】
Ｓ３０は、エントランス装置２５からの不正認証情報を無線通信部１６で受信があったか否かを判断する工程である。エントランス装置２５が屋内情報を送信した後、不正認証情報を送り出すまでの所定時間は、無線通信部１６は受信待ちの状態を継続する。前記の所定時間が経過しても不正認証情報の受信がなければＳ２４へ移行し、前記の所定時間内に不正認証情報の受信があればＳ３１へ移行する。
【００２８】
Ｓ３１は、受信した不正認証情報を、表示部１８に表示する工程である。不正認証情報である、不正な認証作業が行われた日時を表示する。不正認証情報は、表示後、記憶部１２に記憶しておく。表示部１８に不正認証情報を表示する空き領域があれば、空き領域へ表示し、空き領域がなければ、屋内情報表示を一旦消去した後に不正認証情報を表示する。ユーザが不正認証情報を確認してから、腕時計キーのボタン操作をすることで屋内情報表示に戻すことが可能である。屋内情報と不正認証情報は、記憶部１２に記憶されているので、次にエントランス装置２５からの受信があるまでは、何時でも記憶部１２から読み出して選択的に表示することが可能である。Ｓ３１の工程の後はＳ２４へ移行する。
【００２９】
次に、図５のフローチャートを用いて、エントランス装置２５の作用について説明する。Ｓ３２は、腕時計キー６が送信したＩＤを無線通信部３６で受信があったか否かを判断する工程である。受信待ちは連続的に行うことが好ましいが、消費電力を小さくするために間欠的に行ってもよい。ＩＤの受信がなければＳ３２へ戻って再判断を行い、ＩＤの受信があれば、Ｓ３４へ移行する。
【００３０】
Ｓ３４は、腕時計キー６から受信したＩＤと、記憶部２８にあらかじめ記憶されたＩＤとの認証を行う工程である。Ｓ３４の工程の後はＳ３６へ移行する。
【００３１】
Ｓ３６は、Ｓ３４の工程での認証の結果、ＩＤが一致して認証されたか、あるいは、ＩＤが不一致で認証されなかったかを判断する工程である。認証された場合にはＳ３８へ移行し、認証されなかった場合にはＳ５４へ移行する。
【００３２】
Ｓ５４は、受信したＩＤが認証されなかった場合に、認証作業を行った日時を、不正認証データとして記憶部２８に記憶する工程である。非認証が複数回あったならば、それぞれに対応した複数の不正認証情報を記憶する。Ｓ５４の工程の後は、Ｓ３２へ移行する。
【００３３】
Ｓ３８は、ドア４を開錠する工程である。マイクロコンピュータ２７は、ＩＤの認証がされたと判断すると、電気錠制御部に向けて電気錠開錠の命令を発する。これを受けて電気錠制御部は、電気錠に対して開錠信号を発生し、電気錠が開錠し、ドア４を開けることが可能になる。Ｓ３８の工程の後はＳ４０へ移行する。
【００３４】
Ｓ４０は、屋内情報送信の工程である。屋内の各種センサ４０は屋内の様々な設備に対して備え付けられており、設備としては、例えば、ガスの元栓、水道の流水量、煙探知機、屋内使用電力量、電気製品の電源状態、等が挙げられる。各種センサ４０は、各設備が使用中のＯＮであるか、未使用中のＯＦＦであるかを出力する。各種センサ４０は、屋内情報線を通じて、インターフェイス３８の複数の入力端子と任意の設備のセンサーとが１対１で接続している。インターフェイス３８は、各種センサ４０からの入力をマイクロコンピュータ２７が読み込めるデータに変換する。屋内情報線は、ＬＡＮ通信、電力線通信など、どのような有線通信を利用してもよく、さらに、各種センサ４０に無線通信機能を設け、無線通信部３６で各種センサーの情報を受信するようにしてもよい。屋内情報には、各種センサ４０の入力端子番号とＯＮかＯＦＦかの情報が含まれる。Ｓ４０の工程の後は、Ｓ４２へ移行する。
【００３５】
Ｓ４２は、腕時計キーとの交信が途切れたと判断するための減算タイマーのカウント値を、所定時間に設定する工程である。設定後、減算タイマーはカウント値をゼロになるまで減じていく。Ｓ４２の工程の後は、Ｓ４４へ移行する。
【００３６】
Ｓ４４は、腕時計キー６が送信したＩＤを無線通信部３６で受信があったか否かを判断する工程である。Ｓ３２の工程と同様に、受信待ちは連続的に行うことが好ましいが、消費電力を小さくするために時間間欠的に行ってもよい。ＩＤの受信がなければＳ５０へ移行し、ＩＤの受信があれば、Ｓ４６へ移行する。
【００３７】
Ｓ４６は、腕時計キー６から受信したＩＤと、記憶部２８にあらかじめ記憶されたＩＤとの認証を行う工程である。Ｓ４６の工程の後はＳ４８へ移行する。
【００３８】
Ｓ４８は、Ｓ４６の工程での認証の結果、ＩＤが一致して認証されたか、あるいは、ＩＤが不一致で認証されなかったかを判断する工程である。認証された場合にはＳ４２へ移行し、認証されなかった場合にはＳ５０へ移行する。
【００３９】
Ｓ５０は、ＩＤの認証がなされていない状態で、所定時間が経過したか否かを判断する工程である。すなわち、Ｓ４２の工程にて所定時間に設定された減算タイマーのカウント値がゼロになったか否かを判断する。所定時間が経過した場合にはＳ５２へ移行し、所定時間が経過していない場合にはＳ４４の工程へ移行する。ここで、所定の時間が経過した場合というのは腕時計キー６からの電波が届かなくなったことを意味し、腕時計キー６を携帯するユーザが、ドアから離れたということである。
【００４０】
Ｓ５２は、ドア４を施錠する工程である。マイクロコンピュータ２７は、ＩＤの認証がされたと判断すると、電気錠制御部に向けて電気錠施錠の命令を発する。これを受けて電気錠制御部は、電気錠に対して施錠信号を発生し、電気錠が施錠し、ドア４を開けることが不可能になる。Ｓ５２の工程の後はＳ３２へ移行する。
【００４１】
このように、本実施形態によれば、腕時計キーをユーザが携帯して出入り口付近からある程度の距離に接近すると、電気錠を開錠するとともに、屋内情報が腕時計キーに表示されるので、出入り口まで行く前に屋内情報を知ることができ、より迅速に屋内の操作が可能であるとともに、第３者に屋内情報を知られないので安全性も向上する。
【００４２】
また、本実施形態では、電気錠に不正なＩＤの認証があった場合に腕時計キーに不正認証情報を表示するので、不法侵入の未遂があったことを知ることができ、警備強化の必要性があることを容易に知ることができる。
【００４３】
【発明の効果】
以上説明したごとく本発明に係るエントランス・チェッカーは、屋内情報を無線通信を使って腕時計キーに表示するので、手元で迅速に情報を得ることができる安全なエントランス・チェッカーを提供する事ができる。
【図面の簡単な説明】
【図１】本発明の実施の形態に係る腕時計キーのブロック図である。
【図２】本発明の実施の形態に係るエントランス装置のブロック図である。
【図３】本発明の実施の形態の外観図である。
【図４】本発明の実施の形態に係る腕時計キーの動作のフローチャートである。
【図５】本発明の実施の形態に係るエントランス装置の動作のフローチャートである。
【図６】従来の実施の形態の外観図である。
【符号の説明】
４  ドア
６  腕時計キー
８  腕時計キー・制御部
１０  腕時計キー・マイクロコンピュータ
１２  腕時計キー・記憶部
１４  腕時計キー・計時部
１６  腕時計キー・無線通信部
１８  腕時計キー・表示部
２２  腕時計キー・入力部
２４  腕時計キー・電池
２５  エントランス装置
２６  エントランス装置・制御部
２７  エントランス装置・マイクロコンピュータ
２８  エントランス装置・記憶部
３０  エントランス装置・電源
３２  エントランス装置・電気錠制御部
３４  電気錠
３６  エントランス装置・無線通信部
３８  エントランス装置・インターフェイス
４０  屋内各種センサ
５０  カード設置部
５４、５６  安全確認表示ランプ
【図１】
2004197437.tif 000003
【図２】
2004197437.tif 000004
【図３】
2004197437.tif 000005
【図４】
2004197437.tif 000006
【図５】
2004197437.tif 000007
【図６】
2004197437.tif 000008